(57)【要約】      （修正有）【課題】簡便な設備で効率よく実装位置の補正を行うことができる部品実装システムおよび部品装着方法を提供することを目的とする。【解決手段】印刷装置にて基板４に印刷されたはんだの位置に基づいて部品実装装置における実装位置を補正する方式の部品装着において、従来のガーバーデータに基づいてはんだの位置ずれを求める方法に替えて、実装情報記憶部３７に記憶された実装情報と基板認識カメラ３６によって印刷後の基板４を認識した認識結果に基づいてはんだの位置ずれを求め、求められたはんだの位置ずれに基づいて補正された実装位置に部品を装着する。これにより、同様の位置補正を実行するために従来必要とされた印刷工程後の半田位置検査やこの検査に用いられるガーバーデータを必要とせず、簡便な設備で効率よく実装位置の補正を行うことができる。【選択図】図４
2019186410.tif 000002
【特許請求の範囲】
【請求項１】
基板において部品が実装される実装位置を基準に部品領域を設定する部品領域設定手段と、
前記部品領域設定手段によって設定された前記部品領域内においてはんだが印刷された複数のはんだ領域を画像認識により抽出するはんだ領域抽出手段と、
前記はんだ領域抽出手段によって抽出された前記複数のはんだ領域のうち、前記部品を前記基板に実装するための複数の部品はんだ領域を、前記実装位置と前記部品の外形の情報を基に特定する部品はんだ領域特定手段と、
前記部品はんだ領域特定手段によって特定された前記複数の部品はんだ領域に基づいて補正後の実装位置を算出する補正後実装位置算出手段と、
前記補正後実装位置算出手段によって算出された前記補正後の実装位置に前記部品を装着する部品装着機構と、を備える、部品実装システム。
【請求項２】
前記部品はんだ領域特定手段は、前記複数のはんだ領域のうち、前記実装位置に前記部品を装着した場合の前記外形の領域内に含まれるはんだ領域を前記部品はんだ領域と特定する、請求項１に記載の部品実装システム。
【請求項３】
前記部品はんだ領域特定手段は、前記複数のはんだ領域のうち、前記実装位置に前記部品を装着した場合の前記外形の枠に接触するはんだ領域を前記部品はんだ領域と特定する、請求項１に記載の部品実装システム。
【請求項４】
前記外形は、前記部品のパッケージと複数のリード部とを含む、請求項３に記載の部品実装システム。
【請求項５】
前記部品領域は、前記実装位置を中心に前記部品の外形を拡大した領域である、請求項１に記載の部品実装システム。
【請求項６】
前記補正後実装位置算出手段は、
前記部品はんだ領域特定手段によって特定された前記複数の部品はんだ領域の各々の重心位置を算出し、
前記算出された前記複数の部品はんだ領域の重心位置に基づいて前記補正後の実装位置を算出する、請求項１に記載の部品実装システム。
【請求項７】
はんだが印刷された基板において部品が実装される実装位置を基準に部品領域を設定し、
設定された前記部品領域内においてはんだが印刷された複数のはんだ領域を抽出し、
抽出された前記複数のはんだ領域のうち、前記部品を前記基板に実装するための複数の部品はんだ領域を、前記実装位置と前記部品の外形の情報を基に特定し、
特定された前記複数の部品はんだ領域に基づいて補正後の実装位置を算出し、
算出された前記補正後の実装位置に前記部品を装着する、部品装着方法。
【発明の詳細な説明】
【技術分野】
【０００１】
本発明は、基板にはんだ接合により部品を装着する部品実装システムおよび部品装着方法に関する。
【背景技術】
【０００２】
部品を基板にはんだ接合により実装して実装基板を製造する部品実装システムは、印刷装置、検査装置、部品実装装置、リフロー装置など複数の部品実装用装置を連結して構成されている。このような部品実装システムにおいて、基板にはんだ接合用に形成された電極に対するはんだの印刷位置ずれに起因して生じる実装不良を防止することを目的として、はんだ印刷位置を実際に計測して取得されたはんだ位置情報を後工程に対してフィードフォワードする位置補正技術が知られている（例えば特許文献１参照）。
【０００３】
この特許文献例に示す先行技術では、はんだ印刷用のマスク開口位置を撮像して認識することによりマスク開口位置データを求めるとともに、印刷装置により基板に印刷されたはんだを認識してはんだの位置を求め、求められたはんだの位置によって校正されたマスク開口位置データを実装装置にフィードフォワードするようにしている。
【先行技術文献】
【特許文献】
【０００４】
【特許文献１】特許第４２３７１５８号公報
【発明の概要】
【発明が解決しようとする課題】
【０００５】
しかしながら上述の先行技術には、後工程に対してフィードフォワードする位置補正データとしてマスク開口位置データを用いるようにしていることから、以下のような不都合があった。すなわちマスク開口位置データを求めるために、印刷装置に位置認識手段を備える必要があり、設備の複雑化を招くとともに、データ処理が煩雑になるという不都合があった。また、マスク開口位置データは別途準備されるガーバーデータにも含まれているが、部品実装作業の現場においてガーバーデータは必ずしも常に入手可能であるとは限らない。このように、従来技術においては、はんだ位置情報を後工程に対してフィードフォワードして位置補正を行うに際して、マスク開口位置データを必要とすることに起因して、簡便な設備で効率よく実装位置の補正を行うことが難しいという課題があった。
【０００６】
そこで本発明は、簡便な設備で効率よく実装位置の補正を行うことができる部品実装システムおよび部品装着方法を提供することを目的とする。
【課題を解決するための手段】
【０００７】
本発明の部品実装システムは、基板において部品が実装される実装位置を基準に部品領域を設定する部品領域設定手段と、前記部品領域設定手段によって設定された前記部品領域内においてはんだが印刷された複数のはんだ領域を画像認識により抽出するはんだ領域抽出手段と、前記はんだ領域抽出手段によって抽出された前記複数のはんだ領域のうち、前記部品を前記基板に実装するための複数の部品はんだ領域を、前記実装位置と前記部品の外形の情報を基に特定する部品はんだ領域特定手段と、前記部品はんだ領域特定手段によって特定された前記複数の部品はんだ領域に基づいて補正後の実装位置を算出する補正後実装位置算出手段と、前記補正後実装位置算出手段によって算出された前記補正後の実装位置に前記部品を装着する部品装着機構と、を備える。
【０００８】
本発明の部品装着方法は、はんだが印刷された基板において部品が実装される実装位置を基準に部品領域を設定し、設定された前記部品領域内においてはんだが印刷された複数のはんだ領域を抽出し、抽出された前記複数のはんだ領域のうち、前記部品を前記基板に実装するための複数の部品はんだ領域を、前記実装位置と前記部品の外形の情報を基に特定し、特定された前記複数の部品はんだ領域に基づいて補正後の実装位置を算出し、算出された前記補正後の実装位置に前記部品を装着する。
【発明の効果】
【０００９】
本発明によれば、簡便な設備で効率よく実装位置の補正を行うことができる。
【図面の簡単な説明】
【００１０】
【図１】本発明の一実施の形態の部品実装システムの構成を示すブロック図
【図２】本発明の一実施の形態の部品実装システムにおける印刷装置の構成を示すブロック図
【図３】本発明の一実施の形態の部品実装システムにおいて作業対象となる基板の平面図
【図４】本発明の一実施の形態の部品実装システムにおける部品実装装置の構成を示すブロック図
【図５】本発明の一実施の形態の部品装着方法における実装位置の補正処理を示す処理フロー図
【図６】本発明の一実施の形態の部品装着方法における実装位置の補正処理の工程説明図
【図７】本発明の一実施の形態の部品装着方法における実装位置の補正処理の工程説明図
【図８】本発明の一実施の形態の部品実装システムにおいて実装対象となる部品におけるはんだ印刷状態を示す説明図
【発明を実施するための形態】
【００１１】
次に本発明の実施の形態を図面を参照して説明する。まず図１を参照して部品実装システムについて説明する。部品実装システム１は、基板に部品を実装して実装基板を製造する機能を有するものであり、複数の部品実装用装置である印刷装置Ｍ１、部品実装装置Ｍ２〜Ｍ４の各装置を連結して成る。これらの各装置は通信ネットワーク２によって相互に接続されるとともに、管理コンピュータ３に接続されている。管理コンピュータ３は、部品実装システム１におけるデータ管理などのシステム管理機能を有している。
【００１２】
印刷装置Ｍ１は、基板に形成された部品接合用の電極にペースト状のはんだをスクリーン印刷する。部品実装装置Ｍ２〜Ｍ４は、はんだが印刷された基板に部品を装着する。すなわちはんだが印刷された基板を位置決めし、部品装着機構によって部品供給部から部品をピックアップし、はんだが印刷された基板の実装位置に装着する。この後、部品実装後の基板は図外のリフロー工程に送られ、基板に実装された部品を基板にはんだ接合することにより、実装基板が製造される。
【００１３】
次に各装置の構成について説明する。まず図２を参照して、印刷装置Ｍ１の構成および機能について説明する。図２において、位置決めテーブル１０上には基板保持部１２が配置されている。基板保持部１２は基板４をクランパ１２ａによって両側から挟み込んで保持する。テーブル駆動部１１によって位置決めテーブル１０を駆動することにより、基板４はマスクプレート１４に対して水平方向および垂直方向に相対移動し、印刷位置に位置決めされる。
【００１４】
図３に示すように、基板４には部品接合用の複数の電極６とともに、対角に位置して１対の認識マーク４ａ、４ｂが形成されており、認識マーク４ａ、４ｂを基板認識カメラ（図示省略）によって撮像して認識することにより、基板４の位置認識が行われる。基板４が基板保持部１２に保持された状態では、基板４の上方にはマスク枠１４ａに展張されたマスクプレート１４が位置する。
【００１５】
マスクプレート１４において基板４に対応した印刷範囲内には、実装対象の部品７を基板４に接続するための電極６が形成されている。マスクプレート１４には部品７の種類に応じて配置された電極６の形状・配置に対応して、マスクパターン（図示省略）が形成されている。ここでは、部品７の種類として、図５に示すように、下面にバンプが形成されたバンプ付き部品７Ａ、縁部からリードが延出したリード付き部品７Ｂ、両端に接続電極が形成されたチップ型部品７Ｃが対象となっている。
【００１６】
マスクプレート１４の上方にはスキージ部１３が配置されている。スキージ部１３は、スキージ移動機構１３ａ、昇降押圧機構１３ｂおよびスキージ１３ｃより成る。昇降押圧機構１３ｂは、スキージ１３ｃをマスクプレート１４に対して昇降させるとともにマスクプレート１４に対して所定押圧力で押し付ける。スキージ移動機構１３ａは、スキージ１３ｃをマスクプレート１４上で印刷方向に水平移動させる。昇降押圧機構１３ｂ、スキージ移動機構１３ａは、スキージ駆動部１５により駆動される。
【００１７】
基板４をマスクプレート１４の下面に当接させた状態で、はんだ５が供給されたマスクプレート１４の表面に沿ってスキージ１３ｃを所定速度で水平移動させることにより、はんだ５はパターン孔を介して基板４の上面に印刷される。この印刷動作により、基板４の上面において部品接合用の電極６に部品接合用のはんだ５が印刷される。この印刷動作は、テーブル駆動部１１、スキージ駆動部１５を印刷制御部１７によって制御することによって行われる。
【００１８】
この制御に際しては、印刷データ記憶部１６に記憶された印刷データに基づいて、スキージ１３ｃの動作や基板４とマスクプレート１４との位置合わせが制御される。通信部１８は通信ネットワーク２を介して管理コンピュータ３や部品実装システム１を構成する他装置との間でのデータ授受を行う。これにより、印刷データ記憶部１６には管理コンピュータ３から送信された印刷データが書き込まれる。
【００１９】
印刷装置Ｍ１によるスクリーン印刷においては、印刷されたはんだ５の印刷位置は必ずしも電極６の位置に正しく一致するとは限らず、基板４とマスクプレート１４との位置合わせの誤差などの種々の要因により、はんだ５が電極６から位置ずれした状態となる場合がある（図６（ｃ）参照）。このような位置ずれ状態のまま電極６を目標位置として部品を装着すると、はんだ５が部品の接続電極に正常に接触せず、リフロー過程において接合不良などの不具合を招く。本実施の形態においては、このようなはんだ位置ずれに起因する不具合を防止するため、部品実装工程においてはんだ５の印刷位置を検出し、検出された印刷位置に基づいて部品７の実装位置を補正するようにしている。
【００２０】
次に図４を参照して、部品実装装置Ｍ２〜Ｍ４の構成について説明する。図４において位置決めテーブル３０上には基板保持部３０ａが配設されており、基板保持部３０ａは印刷装置Ｍ１または上流側の部品実装装置から搬送され位置決めされた基板４を保持する。基板保持部３０ａの上方には、部品装着機構３２が配置されている。部品装着機構３２は、ヘッド駆動機構３３によって装着ヘッド３４を移動させる構成となっている。
【００２１】
装着ヘッド３４は部品を吸着するノズル３４ａを備えており、装着ヘッド３４は部品供給部（図示省略）から部品７をノズル３４ａによって吸着保持して取り出す。そして装着ヘッド３４を基板４上に移動させて、基板４に対して下降させることにより、ノズル３４ａに保持した部品７を基板４に装着する。ヘッド駆動機構３３、位置決めテーブル３０はそれぞれ装着ヘッド駆動部３５、テーブル駆動部３１によって駆動される。
【００２２】
装着ヘッド駆動部３５、テーブル駆動部３１は、装着制御部３９によって制御される。通信部４１は通信ネットワーク２を介して管理コンピュータ３や部品実装システム１を構成する他装置との間でのデータ授受を行う。これにより、実装情報記憶部３７には管理コンピュータ３から送信された実装情報が書き込まれる。実装情報には、実装対象となる各部品の種類やサイズを含む部品情報、当該部品の実装位置を示す実装位置情報が含まれる。装着制御部３９による制御処理に際しては、実装情報記憶部３７に記憶されたこれらの実装情報が参照される。
【００２３】
ヘッド駆動機構３３には、装着ヘッド３４と一体に移動する基板認識カメラ３６が撮像面を下向きにして配設されている。基板認識カメラ３６を基板４上に移動させて基板４を撮像することにより、基板４上の認識マーク４ａ，４ｂ、電極６に印刷されたはんだ５が撮像される。撮像結果を認識処理部３８によって認識処理することにより、認識マーク４ａ，４ｂ、はんだ５の位置認識が行われる。以下に説明する実装位置の補正のためのはんだ５の認識も、基板認識カメラ３６の撮像機能および認識処理部３８の認識処理機能を用いて実行される。
【００２４】
この認識処理により、認識マーク４ａ，４ｂの正規位置からの位置ずれが求められ、これにより基板４を基板認識カメラ３６によって撮像した画像における位置座標を校正する位置校正データが求められる。そしてこの位置校正データをはんだ５の位置認識に適用することにより、基板４におけるはんだ５の位置が検出される。本実施の形態においては、このようにして検出されたはんだ５の位置に基づいて、当該はんだ５が属する部品７の実装位置を補正するようにしている。そして部品装着機構３２は、このようにして補正された補正後の実装位置に部品７を装着する。
【００２５】
装着制御部３９は内部処理機能として実装位置補正部４０を備えている。実装位置補正部４０は、部品装着機構３２による部品装着動作の実行に際し、はんだ印刷後の個々の部品７を対象として、実装位置の補正のための以下の処理を部品装着に先立って実行する機能を有している。これらの処理には、部品領域設定処理４０ａ、はんだ領域抽出処理４０ｂ、部品はんだ領域特定処理４０ｃおよび補正後実装位置算出処理４０ｄが含まれる。なお、ここではこれらの処理を部品実装装置Ｍ２〜Ｍ４の制御処理機能によって実行する例を示しているが、本発明はこれに限定されない。例えば管理コンピュータ３など部品実装システム１が備えた処理機能によってこれらの処理を実行するように構成してもよい。
【００２６】
以下、この実装位置の補正処理について、図６，図７、図８の各図を参照しながら図５のフロー図に則して説明する。ここでは、本実施の形態において実装対象例として示すバンプ付き部品７Ａ、リード付き部品７Ｂ、チップ型部品７Ｃのうち、チップ型部品７Ｃを対象とした例を示している。
【００２７】
この実装位置の補正処理では、まず部品領域の設定が行われる（ＳＴ１）。すなわち基板４において部品７が実装される実装位置を基準に部品領域を設定する（部品領域設定処理４０ａ）。ここで部品領域とは、実装情報として与えられる部品７の実装座標、外形サイズを基準に、部品外形もしくは部品外形の枠を所定のサイズに拡大した領域を云う。また所定のサイズとは、当該部品の外形および当該部品を接合するために印刷されたはんだを包含するのに必要十分な大きさを意味している。
【００２８】
図６（ａ）は、部品領域の設定の対象となる部品７が実装されるべき実装位置を示している。すなわち、実装情報記憶部３７に記憶された部品情報より、当該部品７の実装位置ＰＭの実装座標を読み出す。そして図６（ｂ）に示すように、認識マーク４ａ，４ｂの認識により求められた位置校正データによって校正された実装位置ＰＭ＊を中心として、当該部品７の外径サイズ（幅Ｂ、長さＬ）を所定倍数だけ拡大した所定サイズの部品領域３６ａを設定する。すなわち部品領域３６ａは、実装位置ＰＭ＊を中心に部品７の外形を拡大した領域である。
【００２９】
次いで、はんだ領域の抽出が行われる（ＳＴ２）。すなわち、設定された上述の部品領域３６ａ内においてはんだ５が印刷された複数のはんだ領域（５）を画像認識により抽出する（はんだ領域抽出処理４０ｂ）。ここに示す例では、図６（ｃ）に示すように、はんだ領域（５）として電極６に接近した位置にあって部分的に電極６に接触する位置にあるはんだ領域（５）と、部品領域３６ａの端部において電極６から完全に離隔した位置にあるはんだ領域（５）が抽出されている。
【００３０】
次に、部品はんだ領域の特定が行われる（ＳＴ３）。すなわち、抽出された上述の複数のはんだ領域（５）のうち、部品７を基板４に実装するための複数の部品はんだ領域（５）＊を、換言すれば当該部品７に属する複数の部品はんだ領域（５）＊を、実装位置と部品７の外形の情報を基に特定する（部品はんだ領域特定処理４０ｃ）。
【００３１】
この部品はんだ領域特定処理４０ｃにおいては、以下に例示するような種々の手法によって複数の部品はんだ領域（５）＊を特定することができる。例えば、図８（ａ）に示す例では、対象となる部品７がＢＧＡやＣＳＰなどのバンプ付き部品７Ａであり、パッケージ７ａの外形の内側が部品外形領域であり、部品はんだ領域（５）＊は全てこの部品外形領域に含まれている。すなわちここに示す例では、複数のはんだ領域のうち、実装位置に部品を装着した場合の外形の領域内に含まれるはんだ領域（５）を、部品はんだ領域（５）＊として特定するようにしている。
【００３２】
また図８（ｂ）に示す例では、対象となる部品７がＱＦＰなどのリード付き部品７Ｂであり、パッケージ７ｂから延出したリード部７ｄの先端部からさらに外側まではんだ領域（５）が存在する。このような場合には、リード部７ｄの先端部に相当する位置に部品７を囲む外形の枠７ｅを設定し、この枠７ｅの内側を部品外形領域に設定する。そして、枠７ｅに接触するはんだ領域（５）を部品はんだ領域（５）＊と特定する。すなわちここに示す例では、複数のはんだ領域（５）のうち、実装位置に部品を装着した場合の外形の枠７ｅに接触するはんだ領域（５）を部品はんだ領域（５）＊と特定するようにしている。そしてこの例では、リード付き部品７Ｂの外形は、パッケージ７ｂと複数のリード部７ｄとを含む形態となっている。
【００３３】
さらに図８（ｃ）に示す例は、対象となる部品７がチップ型部品７Ｃであり、チップ本体７ｃの両端部に形成された接続端子７ｆを囲むようにしてはんだ領域（５）が形成されている。この例ではチップ本体７ｃの内部が部品外形領域であり、チップ本体７ｃに接触する位置関係にあるはんだ領域（５）が部品はんだ領域（５）＊に該当する。すなわちここに示す例では、複数のはんだ領域（５）のうち、実装位置に部品７を装着した場合の外形に接触するはんだ領域（５）を部品はんだ領域（５）＊と特定するようにしている。
【００３４】
この部品はんだ領域特定処理４０ｃの実行により、図７（ａ）に示すように、図６（ｃ）にて部品領域３６ａの端部にあって電極６から完全に離隔した位置にあるはんだ領域（５）が部品はんだ領域（５）＊の特定条件から外れる。これにより、電極６に部分的に接触したはんだ領域（５）のみが部品はんだ領域（５）＊として特定される。
【００３５】
次いでこのようにして特定された複数の部品はんだ領域（５）＊に基づいて、補正後の実装位置を算出する（ＳＴ４：補正後実装位置算出処理４０ｄ）。すなわち、図７（ｂ）に示すように、部品はんだ領域（５）＊ａの重心位置Ｇ１，部品はんだ領域（５）＊ｂの重心位置Ｇ２をそれぞれ算出する。そして算出された複数の部品はんだ領域（５）＊ａ、部品はんだ領域（５）＊ｂの重心位置Ｇ１、Ｇ２に基づいて、補正後の実装位置［ＰＭ］を算出する。
【００３６】
ここでは、補正後の実装位置［ＰＭ］として、重心位置Ｇ１、Ｇ２の中点を用いるようにしている。なお、補正後の実装位置［ＰＭ］の算出方法としては、上述の重心位置Ｇ１、Ｇ２の中点を求める方法以外にも、重心位置Ｇ１、Ｇ２に基づく方法であれば種々の方法を用いることができる。例えば部品はんだ領域（５）＊が３以上の複数存在する場合には、これらについて求められた複数の重心位置の平均座標値を求めるようにしてもよい。さらには、部品はんだ領域（５）＊の重心位置に加えて、実装情報上の実装位置を加味して補正後の実装位置［ＰＭ］を算出するようにしてもよい。
【００３７】
次いで、補正後の実装位置［ＰＭ］に部品７を装着する（ＳＴ５）。すなわち図７（ｃ）に示すように、補正後実装位置算出処理４０ｄにおいて算出された補正後の実装位置［ＰＭ］に部品装着機構３２によって部品７を装着する。これにより、印刷装置Ｍ１における種々の要因によってはんだ５が電極６から位置ずれした状態となっている場合にあっても、部品７は印刷されたはんだ５に位置合わせされた状態で基板４に装着される。この部品装着状態において、部品７の接続端子７ｆは基板４の電極６から位置ずれした状態にある。
【００３８】
この後、部品７が装着された基板４は、後工程のリフロー工程に送られ、所定の加熱プロファイルに従って加熱される。このリフロー過程においては、はんだ５が加熱溶融した溶融はんだが電極６に沿って濡れ広がるセルフアライメント効果により、部品７の接合端子は電極６の上面に移動する。これにより、部品装着状態における位置ずれ状態にもかかわらず、部品７は電極６に対して正しく位置合わせされた状態ではんだ接合される。
【００３９】
上述の部品装着に用いられる部品実装システム１の構成において、部品領域設定処理４０ａ、はんだ領域抽出処理４０ｂを実行する実装位置補正部４０は、基板４において部品７が実装される実装位置ＰＭを基準に部品領域３６ａを設定する部品領域設定手段、この部品領域設定手段によって設定された部品領域３６ａ内においてはんだ５が印刷された複数のはんだ領域（５）を画像認識により抽出するはんだ領域抽出手段となっている。
【００４０】
また、部品はんだ領域特定処理４０ｃ、補正後実装位置算出処理４０ｄを実行する実装位置補正部４０は、このはんだ領域抽出手段によって抽出された複数のはんだ領域（５）のうち、部品７を基板４に実装するための複数の部品はんだ領域（５）＊を、実装位置ＰＭ＊と部品７の外形の情報を基に特定する部品はんだ領域特定手段、この部品はんだ領域特定手段によって特定された複数の部品はんだ領域（５）＊に基づいて補正後の実装位置［ＰＭ］を算出する補正後実装位置算出手段となっている。
【００４１】
そして上述構成の部品実装システム１によって基板４に部品７を装着する部品装着方法では、まず、はんだ５が印刷された基板４において部品７が実装される実装位置ＰＭ＊を基準に部品領域３６ａを設定する。次いで設定された部品領域３６ａ内においてはんだ５が印刷された複数のはんだ領域（５）を抽出する。
【００４２】
次に抽出された複数のはんだ領域（５）のうち、部品７を基板４に実装するための複数の部品はんだ領域（５）＊を、実装位置ＰＭ＊と部品７の外形の情報を基に特定する。次いで特定された複数の部品はんだ領域（５）＊に基づいて補正後の実装位置［ＰＭ］を算出する。そして算出された補正後の実装位置［ＰＭ］に部品７を装着する。
【００４３】
なお、上述の位置補正は、必ずしも全ての部品について実行する必要は無い。すなわち、同種の部品が基板上で複数個連続して配列されているような場合、さらにスクリーン印刷における印刷位置ずれの傾向が一定しているような場合には、抜き取り的に所定個数のみについて実装位置の補正処理を実行し、他部品について位置補正結果を流用するようにしてもよい。抜き取りのタイミングとしては、装着動作開始時の所定個数を補正処理対象としてもよく、または連続して装着動作を反復する過程で所定のインターバルごとに補正処理を実行するようにしてもよい。
【００４４】
上記説明したように、本実施の形態に示す部品実装システム１では、印刷装置Ｍ１にて基板４に印刷されたはんだ５の位置に基づいて後工程の部品実装装置Ｍ２〜Ｍ４における実装位置を補正する方式の部品装着において、従来のガーバーデータに基づいてはんだの位置ずれを求める方法に替えて、部品実装装置Ｍ２〜Ｍ４において予め与えられた実装情報に基づいてはんだの位置ずれを求め、求められたはんだの位置ずれに基づいて補正された実装位置に部品を装着するようにしている。これにより、同様の位置補正を実行するために従来必要とされた印刷工程後の半田位置検査やこの検査に用いられるガーバーデータを必要とすること無しに、簡便な設備で効率よく実装位置の補正を行うことができる。
【産業上の利用可能性】
【００４５】
本発明の部品実装システムおよび部品装着方法は、簡便な設備で効率よく実装位置の補正を行うことができるという効果を有し、基板にはんだ接合により部品を装着する分野において有用である。
【符号の説明】
【００４６】
１  部品実装システム
４  基板
５  はんだ
（５）  はんだ領域
（５）＊  部品はんだ領域
６  電極
７  部品
７ｅ  枠
３６ａ  部品領域
Ｍ１  印刷装置
Ｍ２〜Ｍ４  部品実装装置
ＰＭ、ＰＭ＊、［ＰＭ］  実装位置
【図１】
2019186410.tif 000003
【図２】
2019186410.tif 000004
【図３】
2019186410.tif 000005
【図４】
2019186410.tif 000006
【図５】
2019186410.tif 000007
【図６】
2019186410.tif 000008
【図７】
2019186410.tif 000009
【図８】
2019186410.tif 000010